(57)【特許請求の範囲】
【請求項１】
標準のアスペクト比より横長のワイドアスペクト比の撮像面を有する撮像素子の撮像信号から、第１のサンプリング周波数の上記ワイドアスペクト比の映像信号を生成する生成手段と、
記録時に、上記生成手段で生成された上記第１のサンプリング周波数の上記ワイドアスペクト比の映像信号から、上記第１のサンプリング周波数よりも低い第２のサンプリング周波数の上記標準のアスペクト比の映像信号を生成し、他方再生時に、供給された上記第２のサンプリング周波数の上記標準のアスペクト比の映像信号から、上記第１のサンプリング周波数の上記ワイドアスペクト比の映像信号を生成するアスペクト比変換手段と、
記録時に、上記生成手段で生成された上記第１のサンプリング周波数の上記ワイドアスペクト比の映像信号のサンプリング周波数を、上記第１のサンプリング周波数よりも低い第３のサンプリング周波数に変換し、他方再生時に、供給された上記第３のサンプリング周波数の上記ワイドアスペクト比の映像信号のサンプリング周波数を、上記第１のサンプリング周波数に変換するサンプリング周波数変換手段と、
ビューファインダに供給する映像信号に、上記標準のアスペクト比の映像信号の画面が上記ワイドアスペクト比の映像信号の画面のどの部分かを示す表示用信号を付加する表示用信号付加手段と
を備え、
記録時には、
上記生成手段によって生成された上記第１のサンプリング周波数の上記ワイドアスペクト比の映像信号が上記ビューファインダに供給され、同時に、上記生成手段によって生成された上記第１のサンプリング周波数の上記ワイドアスペクト比の映像信号を第４の映像信号、上記サンプリング周波数変換手段によって変換された上記第３のサンプリング周波数の上記ワイドアスペクト比の映像信号を第５の映像信号、上記アスペクト比変換手段によって生成された上記第２のサンプリング周波数の上記標準のアスペクト比の映像信号を第６の映像信号として、上記第４の映像信号，上記第５の映像信号，上記第６の映像信号のサンプリング周波数の比を上記第１のサンプリング周波数，上記第３のサンプリング周波数，上記第２のサンプリング周波数の比と一致させた上で、上記第４の映像信号，上記第５の映像信号，上記第６の映像信号が切換え手段を介して選択的に記録手段に出力され、
再生時には、
上記第６の映像信号が上記記録手段から上記切換え手段を介して入力したことに基づき、上記第２のサンプリング周波数の上記標準のアスペクト比の映像信号が上記アスペクト比変換手段に供給され、上記アスペクト比変換手段によって生成された上記第１のサンプリング周波数の上記ワイドアスペクト比の映像信号が上記ビューファインダに供給され、
上記第５の映像信号が上記記録手段から上記切換え手段を介して入力したことに基づき、上記第３のサンプリング周波数の上記ワイドアスペクト比の映像信号が上記サンプリング周波数変換手段に供給され、該サンプリング周波数変換手段によってサンプリング周波数を上記第１のサンプリング周波数に変換された上記ワイドアスペクト比の映像信号が上記ビューファインダに供給されるようにしたことを特徴とするビデオカメラ。
【発明の詳細な説明】
【０００１】
【産業上の利用分野】
本発明はビデオカメラに関する。
【０００２】
【従来の技術】
例えば、現行のアスペクト比が４：３の標準テレビジョン方式（例えば、ＮＴＳＣ方式）から、これと互換性を有し、アスペクト比がこれより横長の１６：９のＥＤＴＶ（Ｅｘｔｅｎｄｅｄ  Ｄｅｆｉｎｉｔｉｏｎ  Ｔｅｌｅｖｉｓｉｏｎ）  方式に移行する場合、その移行の途中では、両方式が併存することに成る。
【０００３】
そこで、先に、本出願人より、現行の標準テレビジョン方式との互換性を有するワイドアスペクト比のテレビジョン方式の信号を出力するビデオカメラ装置において、ワイドアスペクト比の画像を撮像する撮像素子と、その撮像素子から出力されるワイドアスペクト比のビデオ信号を現行の標準テレビジョン方式のアスペクト比のビデオ信号に変換するアスペクト比変換回路と、ワイドアスペクト比のビデオ信号とアスペクト比変換回路からの現行の標準テレビジョン方式のアスペクト比のビデオとを選択的に切換える切換え手段と、その切換え手段により選択されたアスペクト比のビデオ信号に各種の信号処理を施す処理回路と、選択されたアスペクト比の画像モニタする電子ビューファインダとを有するビデオカメラが、特願平３−１０９６７３号（本願出願時において、未公知）が提案された。
【０００４】
【発明が解決しようとする課題】
かかるビデオカメラによれば、ワイドアスペクト比の画像を撮像する撮像素子を設け、これにアスペクト比変換回路を組み合わせることによって、現行の標準テレビジョン方式のアスペクト比及びワイドアスペクト比の映像信号を選択的に得ることができるので、実用上便利であり、又、経済的でもあるので好ましい。
【０００５】
しかし、かかるビデオカメラは、現行の標準テレビジョン方式のアスペクト比及びワイドアスペクト比の映像信号を同時に得ることができないと言う欠点がある。
【０００６】
かかる点に鑑み、本発明は、互いに異なる第１及び第２のアスペクト比の映像信号を同時に得ることができると共に、第１のアスペクト比の映像信号を受像したときに、第２のアスペクト比の映像信号の表示範囲を容易に認識するこのできるビデオカメラを提案しようとするものである。
【０００７】
【課題を解決するための手段】
本発明によるビデオカメラは、標準のアスペクト比より横長のワイドアスペクト比の撮像面を有する撮像素子の撮像信号から、第１のサンプリング周波数のこのワイドアスペクト比の映像信号を生成する生成手段と、記録時に、この生成手段で生成された第１のサンプリング周波数のこのワイドアスペクト比の映像信号から、この第１のサンプリング周波数よりも低い第２のサンプリング周波数のこの標準のアスペクト比の映像信号を生成し、他方再生時に、供給されたこの２のサンプリング周波数のこの標準のアスペクト比の映像信号から、この第１のサンプリング周波数のこのワイドアスペクト比の映像信号を生成するアスペクト比変換手段と、記録時に、この生成手段で生成されたこの第１のサンプリング周波数のこのワイドアスペクト比の映像信号のサンプリング周波数を、この第１のサンプリング周波数よりも低い第３のサンプリング周波数に変換し、他方再生時に、供給されたこの第３のサンプリング周波数のこのワイドアスペクト比の映像信号のサンプリング周波数を、この第１のサンプリング周波数に変換するサンプリング周波数変換手段と、ビューファインダに供給する映像信号に、この標準のアスペクト比の映像信号の画面がこのワイドアスペクト比の映像信号の画面のどの部分かを示す表示用信号を付加する表示用信号付加手段とを備え、記録時には、この生成手段によって生成されたこの第１のサンプリング周波数のこのワイドアスペクト比の映像信号がビューファインダに供給され、、同時に、この生成手段によって生成されたこの第１のサンプリング周波数のこのワイドアスペクト比の映像信号を第４の映像信号、このサンプリング周波数変換手段によって変換されたこの第３のサンプリング周波数のこのワイドアスペクト比の映像信号を第５の映像信号、このアスペクト比変換手段によって生成されたこの第２のサンプリング周波数のこの標準のアスペクト比の映像信号を第６の映像信号として、この第４の映像信号，第５の映像信号，第６の映像信号のサンプリング周波数の比をこの第１のサンプリング周波数，第３のサンプリング周波数，第２のサンプリング周波数の比と一致させた上で、この第４の映像信号，第５の映像信号，第６の映像信号が切換え手段を介して選択的に記録手段に出力され、再生時には、この第６の映像信号がこの記録手段からこの切換え手段を介して入力したことに基づき、この第２のサンプリング周波数のこの標準のアスペクト比の映像信号がこのアスペクト比変換手段に供給され、このアスペクト比変換手段によって生成されたこの第１のサンプリング周波数のこのワイドアスペクト比の映像信号がビューファインダに供給され、この第５の映像信号がこの記録手段からこの切換え手段を介して入力したことに基づき、この第３のサンプリング周波数のこのワイドアスペクト比の映像信号がこのサンプリング周波数変換手段に供給され、このサンプリング周波数変換手段によってサンプリング周波数をこの第１のサンプリング周波数に変換されたこのワイドアスペクト比の映像信号がビューファインダに供給されるようにしたことを特徴とする。
【０００８】
【作用】
上述せる本発明によれば、記録時に、ワイドアスペクト比の撮像面を有する撮像素子の撮像信号から生成された第１のサンプリング周波数のワイドアスペクト比の映像信号から、第１のサンプリング周波数よりも低い第２のサンプリング周波数の標準アスペクト比の映像信号がアスペクト比変換手段によって生成されるとともに、このワイドアスペクト比の映像信号のサンプリング周波数が、サンプリング周波数変換手段によって第１のサンプリング周波数よりも低い第３のサンプリング周波数に変換される。そして、ワイドアスペクト比の撮像面を有する撮像素子の撮像信号から生成された第１のサンプリング周波数のワイドアスペクト比の映像信号が、標準のアスペクト比の映像信号の画面がどの部分かを示す表示用信号を付加されてビューファインダに供給される。また、この第１のサンプリング周波数のワイドアスペクト比の映像信号と、この第３のサンプリング周波数のワイドアスペクト比の映像信号と、この第２のサンプリング周波数の標準のアスペクト比の映像信号とが、サンプリング周波数の比をこの第１のサンプリング周波数，第３のサンプリング周波数，第２のサンプリング周波数の比と一致させた第４の映像信号，第５の映像信号，第６の映像信号として選択的に記録手段に出力される。そして、再生時に、この第６の映像信号が記録手段から入力すると、第２のサンプリング周波数の標準のアスペクト比の映像信号からアスペクト比変換手段によって生成された第１のサンプリング周波数のワイドアスペクト比の映像信号が、この表示用信号を付加されてビューファインダに供給される。さらに、この第５の映像信号が記録手段から入力すると、サンプリング周波数変換手段によってサンプリング周波数が第３のサンプリング周波数から第１のサンプリング周波数に変換されたワイドアスペクト比の映像信号が、この表示用信号を付加されてビューファインダに供給される。
【０００９】
【実施例】
以下に、図面を参照して、本発明の実施例（例えば、ＮＴＳＣ方式のテレビジョン信号及びこれと互換性を有するＥＤＴＶ方式のテレビジョン信号を得るようにしたビデオカメラ）を詳細に説明しよう。図１〜図４は、実施例のカメラを４分割した各部の回路を示す。又、図１〜図４の各部回路に端子１〜８を設け、同じ符合（番号）の端子が互いに接続される部分であることを示している。
【００１０】
先ず、図１から説明を始める。図示を省略したアスペクト比がそれぞれ１６：９の撮像面を有する撮像素子、例えば、赤、緑及び青のＣＣＤからの各撮像信号をそれぞれＡ／Ｄ変換器に供給してデジタル化して得た、サンプリング周波数がそれぞれ、例えば、１８ＭＨｚのデジタル赤信号（Ｒ）、デジタル緑信号（Ｇ）及びデジタル青信号（Ｂ）が、デジタル・シグナル・プロセッサ（ＤＳＰ）１０１（請求項１の生成手段に相当）に供給されて、信号処理（ＰＲ）及びイメージエンハンス処理（ＩＥ）される。このプロセッサ１０１には、デジタルタイトル信号（Title)及びデジタルタイトルバック信号(Title Back)信号が供給される。そして、プロセッサ１０１から、
（１）  サンプリング周波数が１８ＭＨｚで、アスペクト比が１６：９のデジタルビューファインダ用輝度信号（ＶＦ−Ｙ）、
（２）  サンプリング周波数が３６ＭＨｚで、アスペクト比が１６：９のデジタル第１の解像度ディテール信号（ＤＴＬ）、
（３）  サンプリング周波数が１８ＭＨｚで、アスペクト比が１６：９のデジタル輝度信号（Ｙ）、
（４）  サンプリング周波数が１８ＭＨｚで、アスペクト比が１６：９のデジタル赤色差信号（Ｒ−Ｙ）、
（５）  サンプリング周波数が１８ＭＨｚで、アスペクト比が１６：９のデジタル青色差信号（Ｂ−Ｙ）及び
（６）  デジタルオーバーレイ信号（Over Lay Data)
が出力されて、デジタルエンコーダ１０２に供給される。
【００１１】
デジタルエンコーダ１０２から、サンプリング周波数が１８ＭＨｚで、アスペクト比が１６：９のビューファインダ用デジタル映像信号（ＶＦ  Ｖｉｄｅｏ）、デジタルマーカー信号（Ｍａｒｋｅｒ）及びサンプリング周波数が３６ＭＨｚで、アスペクト比が１６：９のテスト出力用デジタルコンポジットカラー映像信号（Ｃｏｍｐｏｓｉｔｅ）が出力される。
【００１２】
そして、デジタルエンコーダ１０２では、識別信号付加回路１０３、１０６において、輝度信号（ＶＦ−Ｙ）、（Ｙ）の各垂直ブランキング期間の所定ライン番号の位置に、アスペクト比が１６：９であることを示す１ビットのアスペクト比識別信号が付加される。
【００１３】
又、アスペクト比識別信号の付加された輝度信号（ＶＦ−Ｙ）に、加算器（掛け算器も可）１０５で、表示用信号発生器１０４（請求項１の表示用信号付加手段に相当）からの、図３について後述する時間軸変換装置としてのＦＩＦＯメモリ装置１２６（請求項１のアスペクト比変換手段に相当）によるアスペクト比が４：３の映像信号の画面が、アスペクト比が１６：９の映像信号の画面のどの部分かを示すデジタル表示用信号が加算されて、表示信号を含むデジタル映像信号(VF Video)が得られる。
【００１４】
図５を参照して説明するに、図５（Ａ）は、アスペクト比が１６：９の再生画面を示す。図５（Ｂ）は、アスペクト比が１６：９の再生画面の内、アスペクト比が４：３の再生画面の部分は、点線で示す左右の垂直方向の２本の直線状の切り取り線（白、黒又は所定の色の線）の内側であることを示す。図５（Ｃ）は、アスペクト比が１６：９の再生画面の内、アスペクト比が４：３の再生画面の部分は、斜線で示す左右の垂直方向の２本の帯状領域（白、黒又は所定の色の帯状領域）の内側であることを示す。
【００１５】
図６を参照して説明するに、図６（Ａ）は映像信号、例えば、輝度信号のライン信号を示す。図６（Ｂ）は黒の切り取り線の表示信号を含む輝度信号のライン信号を示し、図６（Ｃ）は黒の帯状領域の表示信号を含む輝度信号のライン信号を示し、図６（Ｄ）は白の帯状領域の表示信号を含む輝度信号のライン信号を示す。
【００１６】
次に、図２を説明する。図１のデジタルエンコーダ１０２からのビューファインダ用デジタル映像信号（ＶＦ  Ｖｉｄｅｏ）  が、Ｄ／Ａ変換器１０７に供給されてアナログ化され、このビューファインダ用アナログ映像信号は、遮断周波数が１８ＭＨｚのローパスフィルタ１０８及び切換えスイッチ１０９を通じて加算器１１０に供給される。一方、デジタルエンコーダ１０２からのマーカー信号（Ｍａｒｋｅｒ）がＯＲゲート１１５に供給されると共に、外部キャラクタ信号発生器（図示せず）からのデジタルキャラクタ信号が、ＯＲゲート１１５に供給され、その出力側からのキャラクタ信号が、ローパスフィルタ／減衰器１１６及びオンオフスイッチ１１７を通じて、加算器１１０に供給されて、切換えスイッチ１１０の出力信号と加算される。アスペクト比がそれぞれ１６：９、４：３のリターン映像信号（放送中の映像信号、ＶＴＲからの再生映像信号等）が、切換えスイッチ１１４によって、切換え選択された後、オンオフスイッチ１１３を通じて加算器１１０に供給される。加算器１１０の出力はビューファインダ（例えば、ＣＲＴ受像機）１１１に供給され、又、そのビューファインダ１１１の識別信号検出器１１２によって、アスペクト比が１６：９の識別信号の有無が検出される。
【００１７】
ビューファインダ１１１では、図７に示す如く、アスペクト比が４：３のＣＲＴを使用し、識別信号検出器１１２でビューファインダ用映像信号の垂直ブランキング期間の所定ライン番号の所のアスペクト比が１６：９であることを示す識別信号が検出されないときは、ＣＲＴによって、そのまゝアスペクト比が４：３の再生画面を映出し、アスペクト比が１６：９であることを示す識別信号が検出されたときは、図７に示す如く、ＣＲＴに対する垂直偏向回路を制御して、その垂直振幅が３／４倍に成るようにして、アスペクト比が４：３×３／４、即ち、１６：９の再生画面を映出するようにしている。
【００１８】
図１のデジタルエンコーダ１０２からのサンプリング周波数が３６ＭＨｚで、アスペクト比が１６：９のデジタルコンポジットカラー映像信号は、Ｄ／Ａ変換器１１８に供給されてアナログ化され、そのアナログコンポジットカラー映像信号が、遮断周波数が３６ＭＨｚのローパスフィルタ１１９を通じて、加算器１２０に供給されて、オンオフスイッチ１２１を通じて供給されるローパスフィルタ／減衰器１１６からのキャラクタ信号と加算され、又は、加算されずに、アスペクト比が１６：９のアナログコンポジットカラー映像信号（ＶＢＳ）として出力される。
【００１９】
次に、図３について説明する。１２６は時間軸変換装置としての、書き込み及び読み出しが非同期のＦＩＦＯ（ファースト・イン・ファーストアウト）メモリ装置で、４個のＦＩＦＯメモリ素子１２７ａ〜１２７ｄと、その４個のＦＩＦＯメモリ素子１２７ａ〜１２７ｄの書き込み及び読み出しの制御並びにその１番上のＦＩＦＯメモリ素子１２７ａへの３６ＭＨｚ及び２７ＭＨｚのクロック信号の選択的供給並びに上から２番目から一番下までの３個のＦＩＦＯメモリ素子１２７ｂ〜１２７ｄへの１８ＭＨｚ及び１３．５ＭＨｚのクロック信号の選択的供給を行うＦＩＦＯ制御回路１２８とから構成される。
【００２０】
先ず、図１のデジタル・シグナル・プロセッサ１０１からの、例えば、図８（Ｉ）に示す毎き画像に関するアスペクト比が１６：９のディテール信号（ＤＴＬ）を、ＦＩＦＯメモリ素子１２７ａにＦＩＦＯ制御回路１２８よりの３６ＭＨｚのクロック信号を以て書き込むと共に、シグナル・プロセッサ１０１からの図８（Ｉ）に示す毎き画像に関するアスペクト比が１６：９の輝度信号（Ｙ）、赤色差信号（Ｒ−Ｙ）及び青色差信号（Ｂ−Ｙ）を、それぞれＦＩＦＯメモリ素子１２７ｂ〜１２７ｄにＦＩＦＯ制御回路１２８よりの１８ＭＨｚのクロック信号を以て書き込む。
【００２１】
そして、ＦＩＦＯメモリ素子１２７ａに記憶されている図８（Ｉ）  のディテール信号（ＤＴＬ）の各ライン信号の映像区間の任意の位置の１２／１６の区間の信号を図８（ＩＩ）の如く切り取り、図８（ＩＩＩ）  に示す如くその切り取った各映像区間を１６／１２に時間伸長する如く、ＦＩＦＯ制御回路１２８よりの２７ＭＨｚのクロック信号を以て読み出す。同様に、ＦＩＦＯメモリ素子１２７ｂ〜１２７ｄに記憶されている図８（Ｉ）  の輝度信号（Ｙ）、赤色差信号（Ｒ−Ｙ）及び青色差信号（Ｂ−Ｙ）の各ライン信号の映像区間の任意の位置の１２／１６の区間の信号を図８（ＩＩ）の如く切り取り、図８（ＩＩＩ）  に示す如くその切り取った各映像区間の時間を１６／１２に伸長する如く、ＦＩＦＯ制御回路１２８よりの１３．５ＭＨｚＭＨｚのクロック信号を以て読み出す。
【００２２】
かくして、ＦＩＦＯメモリ素子１２７ａ〜１２７ｄから、図８（ＩＶ）に示す如き、アスペクト比が４：３のそれぞれディテール信号（ＤＴＬ）、輝度信号（Ｙ）、赤色差信号（Ｒ−Ｙ）及び青色差信号（Ｂ−Ｙ）が得られ、これら信号がデジタルエンコーダ１２９に供給されてエンコードされることにより、高解像度のコンポジットカラー映像信号と、それぞれ高解像度の輝度信号（Ｙ）、赤色差信号（Ｒ−Ｙ）及び青色差信号（Ｂ−Ｙ）が得られ、それぞれＤ／Ａ変換器１３０によってアナログ信号に変換されると共に、それぞれ遮断周波数が２７ＭＨｚのローパスフィルタ１３１に供給されて高域成分が除去され、それぞれアスペクト比が４：３の高解像度のアナログコンポジットカラー映像信号（ＶＢＳ）、アナログ輝度信号（Ｙ）、アナログ赤色差信号（Ｒ−Ｙ）及び青色差信号（Ｂ−Ｙ）が出力される。尚、輝度信号（Ｙ）に対しては、加算器１２５において、水平及び垂直同期信号並びにカラーバースト信号が加算される。
【００２３】
これを一般的に述べると、次のように成る。即ち、標準のアスペクト比（横及び縦の比をｘ：ｙとする）より横長のワイドアスペクト比（横及び縦の比をＸ：Ｙとする）の撮像面を有する撮像素子（ＣＣＤ）からのワイドアスペクト比の映像信号を、ＦＩＦＯメモリ装置１２６に供給し、このＦＩＦＯメモリ装置１２６によって、撮像素子からのワイドアスペクト比の映像信号の各ライン信号の映像区間のｘＹ／ｙＸを抽出した後、ｙＸ／ｘＹ倍に時間軸伸長して、標準のアスペクト比の映像信号を得る。
【００２４】
尚、ＦＩＦＯメモリ装置１２６は双方向動作可能とされ、後述するように、デジタルＶＴＲ（図示せず）からのアスペクト比が４：３の映像信号を、アスペクト比が１６：９の映像信号に変換する機能をも有する。
【００２５】
又、図１のデジタル・シグナル・プロセッサ１０１からのそれぞれアスペクト比が１６：９の輝度信号（Ｙ）、赤色差信号（Ｒ−Ｙ）及び青色差信号（Ｂ−Ｙ）が、識別信号付加回路１２２に供給されて、輝度信号（Ｙ）の垂直ブランキング期間の所定ライン番号の所にアスペクト比が１６：９であることを示す識別信号が付加された後、Ｄ／Ａ変換器１２３に供給されてそれぞれアナログ信号に変換された後、遮断周波数が１８ＭＨｚのローパスフィルタ１２４に供給されて高域成分が除去され、それぞれアスペクト比が１６：９のアナログ輝度信号（Ｙ）、アナログ赤色差信号（Ｒ−Ｙ）及び青色差信号（Ｂ−Ｙ）が出力される。尚、輝度信号（Ｙ）に対しては、加算器１２５において、水平及び垂直同期信号並びにカラーバースト信号が加算される。
【００２６】
次に、図４の回路を説明する。１３３は双方向回路で、図においてその左側はＦＩＦＯメモリ素子１２７ｂ〜１２７ｄ及びデジタル・シグナル・プロセッサ１０１に接続されると共に、その右側はデジタルインターフェースバスを介してデジタルＶＴＲ（図示せず）に接続される。この双方向回路１３３を構成する各部回路は双方向動作可能で、それぞれの方向に応じて定数等が異なる。
【００２７】
先ず、そのデジタルＶＴＲが記録モードのときの双方向回路１３３を説明する。デジタル・シグナル・プロセッサ１０１からのサンプリング周波数が１８ＭＨｚで、アスペクト比が１６：９の輝度信号（Ｙ）が、遅延器１３７及びローパスフィルタ１３８を通じて、切換え回路１４０に供給されると共に、レートコンバータ１３９（請求項１のサンプリング周波数変換手段に相当）に供給されてサンプリング周波数が１８ＭＨｚから１３．５ＭＨｚに変換された後、切換え回路１４０（請求項１の切換え手段に相当）に供給され、その切換え回路１４０の切換え出力がマルチプレクサ／デマルチプレクサ１４１に供給される。
【００２８】
デジタルエンコーダ１０２からのサンプリング周波数が９ＭＨｚで、アスペクト比が１６：９のマルチプレックスされた赤色差信号（Ｒ−Ｙ）、マルチプレックスされた青色差信号（Ｂ−Ｙ）が、ローパスフィルタ１３４を通じて、レートコンバータ１３５（請求項１のサンプリング周波数変換手段に相当）に供給されて、サンプリング周波数を９ＭＨｚから６．７５ＭＨｚに変換されると共に、ローパスフィルタ１３４の出力が切換え回路１３６に供給され、その切換え回路１３６の切換え出力がマルチプレクサ／デマルチプレクサ１４１に供給される。そして、マルチプレクサ／デマルチプレクサ１４１から、サンプリング周波数が２７ＭＨｚ又は３６ＭＨｚで、アスペクト比が１６：９の時分割多重信号（Ｙ＋Ｕ＋Ｄ）が得られ、識別信号付加回路１４２で、その輝度信号（Ｙ）の垂直ブランキングの所定ライン番号の所に、アスペクト比が１６：９であることを示す識別信号が挿入された後、切換え回路１４８（請求項１の切換え手段に相当）に供給される。
【００２９】
又、図３のＦＩＦＯメモリ素子１２６ｂからのサンプリング周波数が１３．５ＭＨｚで、アスペクト比が４：３の輝度信号（Ｙ）が、遅延器１４３及びローパスフィルタ（Ｄ−１フォーマットデジタルＶＴＲの輝度信号用ローパスフィルタ）１４４を通じて、マルチプレクサ／デマルチプレクサ１４７に供給される。図３のＦＩＦＯメモリ１２６ｃ、１２６ｄからのサンプリング周波数がそれぞれ１３．５ＭＨｚで、アスペクト比が４：３の赤色差信号（Ｒ−Ｙ）及び青色差信号（Ｂ−Ｙ）が、マルチプレクサ／デマルチプレクサ１４５及びローパスフィルタ（Ｄ−１フォーマットデジタルＶＴＲの赤色差及び青色差信号用ローパスフィルタ）１４６を通じて、マルチプレクサ／デマルチプレクサ１４７に供給される。そして、マルチプレクサ／デマルチプレクサ１４７から、サンプリング周波数が２７ＭＨｚで、アスペクト比が４：３の時分割多重信号（Ｙ＋Ｕ＋Ｖ）が得られて、切換え回路１４８に供給される。
【００３０】
しかして、切換え回路１４８の出力側には、サンプリング周波数が３６ＭＨｚで、アスペクト比が１６：９の時分割多重信号（Ｙ＋Ｕ＋Ｖ）、サンプリング周波数が２７ＭＨｚで、アスペクト比が１６：９の時分割多重信号（Ｙ＋Ｕ＋Ｖ）及びサンプリング周波数が２７ＭＨｚで、アスペクト比が４：３の時分割多重信号（Ｙ＋Ｕ＋Ｖ）の一つが選択的に出力されて、デジタルインターフェースを通じてデジタルＶＴＲに供給されて記録される。
【００３１】
次に、デジタルＶＴＲが再生モードのときの双方向回路１３３を説明する。デジタルＶＴＲから再生されたサンプリング周波数が３６ＭＨｚで、アスペクト比が１６：９の時分割多重信号（Ｙ＋Ｕ＋Ｖ）、サンプリング周波数が２７ＭＨｚで、アスペクト比が１６：９の時分割多重信号（Ｙ＋Ｕ＋Ｖ）及びサンプリング周波数が２７ＭＨｚで、アスペクト比が４：３の時分割多重信号（Ｙ＋Ｕ＋Ｖ）の一つが、デジタルインターフェースを通じて、切換え回路１４８に選択的に供給される。
【００３２】
切換え回路１４８からのサンプリング周波数が２７ＭＨｚで、アスペクト比が１６：９の時分割多重信号（Ｙ＋Ｕ＋Ｖ）は、識別信号付加回路１４２を通じて、マルチプレクサ／デマルチプレクサ１４１に供給されて、輝度信号（Ｙ）及びマルチプレクスされた赤色差信号（Ｒ−Ｙ）、マルチプレクスされた青色差信号（Ｂ−Ｙ）に分離され、輝度信号（Ｙ）は切換え回路１４０を通じてレートコンバータ１３９に供給されて、そのサンプリング周波数が１３．５ＭＨｚから１８ＭＨｚに変換された後、ローパスフィルタ１３８及び遅延器１３７を通じて、デジタルエンコーダ１０２に供給される。又、マルチプレクスされた赤色差信号（Ｒ−Ｙ）、マルチプレクスされた青色差信号（Ｂ−Ｙ）は、切換え回路１３６を通じてレートコンバータ１３５に供給されて、そのサンプリング周波数が６．７５ＭＨｚから９ＭＨｚに変換された後、ローパスフィルタ１３４を通じて、デジタルエンコーダ１０２に供給される。
【００３３】
切換え回路１４８からのサンプリング周波数が３６ＭＨｚで、アスペクト比が１６：９の時分割多重信号（Ｙ＋Ｕ＋Ｖ）は、識別信号付加回路１４２を通じて、マルチプレクサ／デマルチプレクサ１４１に供給されて、輝度信号（Ｙ）及びマルチップレクスされた赤色差信号（Ｒ−Ｙ）、マルチプレクスされた青色差信号（Ｂ−Ｙ）に分離され、輝度信号（Ｙ）は切換え回路１４０、ローパスフィルタ１３８及び遅延器１３７を通じて、デジタルエンコーダ１０２に供給される。又、マルチップレクスされた赤色差信号（Ｒ−Ｙ）、マルチプレクスされた青色差信号（Ｂ−Ｙ）は、切換え回路１３６、ローパスフィルタ１３４を通じて、デジタルエンコーダ１０２に供給される。
【００３４】
切換え回路１４８からのサンプリング周波数が２７ＭＨｚで、アスペクト比が４：３の時分割多重信号（Ｙ＋Ｕ＋Ｖ）は、マルチプレクサ／デマルチプレクサ１４７に供給されて、輝度信号（Ｙ）及びマルチップレクスされた赤色差信号（Ｒ−Ｙ）、マルチプレクスされた青色差信号（Ｂ−Ｙ）に分離される。輝度信号（Ｙ）はローパスフィルタ１４４及び遅延器１４３を通じて得られたサンプリング周波数が１３．５ＭＨｚで、アスペクト比が４：３の輝度信号（Ｙ）は、図３のデジタルエンコーダ１２９に供給されると共に、ＦＩＦＯメモリ素子１２７ｂに供給されて１２／１６に時間圧縮されて、アスペクト比が４：３の輝度信号（Ｙ）に変換された後、図１のデジタルエンコーダ１０２に供給されると共に、識別信号付加回路１２２を通じて、Ｄ／Ａ変換器１２３に供給される。
【００３５】
マルチップレクスされた赤色差信号（Ｒ−Ｙ）、マルチプレクスされた青色差信号（Ｂ−Ｙ）は、ローパスフィルタ１４６を通じてマルチプレクサ／デマルチプレクサ１４５に供給されて得られたサンプリング周波数がそれぞれ１３．５ＭＨｚで、アスペクト比が４：３の赤色差信号（Ｒ−Ｙ）及び青色差信号（Ｂ−Ｙ）は、図３のデジタルエンコーダ１２９に供給されると共に、ＦＩＦＯメモリ素子１２７ｃ、１２７ｄに供給されて１２／１６に時間圧縮されて、アスペクト比が４：３の赤色差信号（Ｒ−Ｙ）及び青色差信号（Ｂ−Ｙ）に変換された後、図１のデジタルエンコーダ１０２に供給されると共に、識別信号付加回路１２２を通じて、Ｄ／Ａ変換器１２３に供給される。
【００３６】
【発明の効果】
上述せる本発明ビデオカメラによれば、ワイドアスペクト比の撮像面を有する撮像素子を設けたビデオカメラから、ワイドアスペクト比の映像信号と標準のアスペクト比の映像信号とをそれぞれ得ることができると共に、これらの映像信号を同じサンプリング周波数に揃えることによってワイドアスペクト比の映像信号と標準のアスペクト比の映像信号とを同じように取り扱うことができ、しかも、サンプリング周波数の高い高画質なワイドアスペクト比の映像信号を得ることもできる。また、ビューファインダに映出されるワイドアスペクト比の画面に、標準のアスペクト比の映像信号の画面がどの部分かを示す表示が行われるので、標準のアスペクト比の映像信号の表示範囲を容易に認識することができる。さらに、標準のアスペクト比の映像信号や、サンプリング周波数を標準のアスペクト比の映像信号に揃えたワイドアスペクト比の映像信号が記録手段から入力したときにも、それらの映像信号からサンプリング周波数の高い高画質なワイドアスペクト比の映像信号を得てビューファインダに映出することができる。
【図面の簡単な説明】
【図１】本発明の実施例（１）の一部を示すブロック線図
【図２】実施例（１）の他の一部を示すブロック線図
【図３】実施例（１）の他の一部を示すブロック線図
【図４】実施例（１）の更に他の一部を示すブロック線図
【図５】アスペクト比の違う画面の表示を示す説明図
【図６】表示信号を含む映像信号を示す波形図
【図７】ＣＲＴの有効画面を示す説明図
【図８】アスペクト比が１６：９の映像信号をアスペクト比が４：３の映像信号に変換することの説明図
【符号の説明】
１０１  デジタル・シグナル・プロセッサ
１０２  デジタルエンコーダ
１０３  アスペクト比が１６：９であることを示す識別信号の付加回路
１０４  アスペクト比が４：３の映像信号が、アスペクト比が１６：９の映像
信号のどの部分かの表示用信号を発生する回路
１０５  アスペクト比が４：３の映像信号が、アスペクト比が１６：９の映像信号のどの部分かの表示用信号を、映像信号に付加する回路
１１１  ビューフィアンダ
１２６  ＦＩＦＯメモリ装置
１２９  デジタルエンコーダ
１３３  双方向回路
【図１】
0003549212.tif 000002
【図２】
0003549212.tif 000003
【図３】
0003549212.tif 000004
【図４】
0003549212.tif 000005
【図５】
0003549212.tif 000006
【図６】
0003549212.tif 000007
【図７】
0003549212.tif 000008
【図８】
0003549212.tif 000009